(57)【要約】【課題】使用者自身の使い勝手がよく、また癖付け等の作業をやりやすいヘアアイロンを提供する。【解決手段】第１加熱面２１を有する第１毛髪挟持部１２を備えた第１把持部４と、第２加熱面４７を有する第２毛髪挟持部４２を備えた第２把持部５と、第１把持部４と第２把持部５とを連結する連結部６と、第１加熱面２１を加熱する第１加熱部１３と、第２加熱面４７を加熱する第２加熱部４３とを備え、液体を貯留する液体貯留部１４と、液体貯留部１４に貯留された液体が供給されるチャンバ３１と、供給された液体を蒸発させる温度までチャンバ３１内を加熱する第３加熱部３５とを有する液体蒸発部１６と、貯留された液体をチャンバ３１に所定量ずつ送る送液ポンプ２８と、第１加熱面２１又は第２加熱面４７の少なくともいずれかに設けられ、チャンバ３１内で蒸発した蒸気を放出する放出孔２２ａ〜２２ｈとを備えた。【選択図】図３
2017077432.tif 000002
【特許請求の範囲】
【請求項１】
第１加熱面を有する第１毛髪挟持部を備えた第１把持部と、第２加熱面を有する第２毛髪挟持部を備えた第２把持部と、前記第１把持部と前記第２把持部とを連結する連結部と、前記第１加熱面を加熱する第１加熱部と、前記第２加熱面を加熱する第２加熱部とを備えたヘアアイロンであって、
液体を貯留するための液体貯留部と、
前記液体貯留部に貯留された液体が供給されるチャンバと、前記供給された液体を蒸発させる温度まで前記チャンバ内を加熱する第３加熱部とを有する液体蒸発部と、
前記液体貯留部に貯留された液体を前記チャンバに所定量ずつ送る送液ポンプと、
前記第１加熱面又は前記第２加熱面の少なくともいずれかに設けられ、前記チャンバ内で蒸発した蒸気を放出する放出孔とを備えたことを特徴とするヘアアイロン。
【請求項２】
送液ポンプは、液体貯留部からチャンバ内に対して所定量の液体を送るように構成されている請求項１記載のヘアアイロン。
【請求項３】
放出孔は複数形成されており、
チャンバ内で蒸発した蒸気を複数の前記放出孔に分配する分配部を備えた請求項１又は２記載のヘアアイロン。
【発明の詳細な説明】
【技術分野】
【０００１】
本発明は、毛髪にストレートやカール等の形状の癖付けを行うためのヘアアイロンに関する。
【背景技術】
【０００２】
従来から、毛髪を加熱してストレートやカール等のような形状の癖付けを行うためのヘアアイロンがある。一般的に、このようなヘアアイロンでは、二つのアームをヒンジで開閉可能に固定して、ヒンジに近い基端側を使用者が把持する把持部とし、ヒンジから遠い先端側を使用者が毛髪に癖付けを行う加熱部となるように構成されている。また、従来のヘアアイロンでは、この加熱部は二つのアームが互いに対向する位置に設けられており、その対向面が毛髪を挟持する挟持面となっている。この挟持面は、アームに内蔵されているヒータ等によって所定温度まで加熱されており、使用者が電源をオンにして毛髪を挟むと、挟持面から毛髪に伝わる熱によって、使用者の毛髪の癖付けを行うことができるように構成されている。
【０００３】
このようなヘアアイロンは、従来から種々の形態のものが知られている。例えば、下記に示す特許文献１に記載されたヘアアイロンでは、受けパイプと押さえパイプとからなるアイロンパイプと、このアイロンパイプを加熱する加熱手段を備え、受けパイプと押さえパイプとの当接面をストレートアイロン面にし、受けパイプと押さえパイプの外周面をカール付け面にしている。また、特許文献１に記載されたヘアアイロンは、受けパイプの先端に水タンクを配置しており、この水タンクがパイプの長さ方向に移動自在に取り付けられている。また、この水タンクにはフェルト状の導水部材が設けられており、使用者がこの水タンクを移動させて加熱手段への導水部材の押し当て強さを調節することによって、水タンクから加熱手段への水の供給量を調節し、蒸気の発生量を調節することができるようにも構成されている。
【０００４】
特許文献２に記載されたヘアアイロンでは、使用者が手に取って毛髪に癖付けを行うとともに、液体を蒸発させて蒸気を発生する携帯用ユニットと、この携帯用ユニットに対して液体を供給するための流体貯留器と、これら携帯用ユニットと流体貯留器とを流体的及び電気的接続して、流体貯留器内に貯留された流体や電気を携帯用ユニットに供給するコードセットとを備えている。
【先行技術文献】
【特許文献】
【０００５】
【特許文献１】特開２００２−３４５５３６号公報
【特許文献２】特開２０１２−１０１０５６号公報
【発明の概要】
【発明が解決しようとする課題】
【０００６】
しかしながら、特許文献１に記載されたヘアアイロンは、蒸気を発生させる時は使用者が水タンクをパイプの内部に押し込む方向に操作しながらヘアアイロンを使用しなければいけなかったので、操作性がよくないという問題があった。また、この特許文献１に記載されたヘアアイロンは、水タンクの先端に設けられている導水部材の押し当て強さによって水タンクから加熱手段への水の供給量が調節されるので、一定量の水を供給することが難しく、また導水部材の押し当て強さが強くなりすぎると加熱手段が水タンクから供給された水を蒸気にしきれず、加熱された水が液体のまま使用者の毛髪に供給されるおそれがあるという問題もあった。
【０００７】
また、特許文献２に開示されたヘアアイロンは、携帯用ユニットと、流体貯留部と、コードセットとから構成されているため、ヘアアイロンが大型化してしまう上に、毛髪の癖付けを行う時の取り回しが煩雑であり、癖付け等を行う作業をやりにくくなるという問題があった。特に、特許文献２に開示されたヘアアイロンは、毛髪の癖付けを行うために使用する使用者が自分の毛髪の癖付けを行うために使用するには煩雑な作業になりがちであり、思い通りのヘアスタイルにするためには熟練を要するといった問題もあった。
【０００８】
本発明は、このような問題点を解決するためになされたものであり、コンパクトで使用者自身の使い勝手がよく、また癖付け等の作業をやりやすいヘアアイロンを提供することを目的とする。
【課題を解決するための手段】
【０００９】
本発明は、
（１）第１加熱面を有する第１毛髪挟持部を備えた第１把持部と、第２加熱面を有する第２毛髪挟持部を備えた第２把持部と、前記第１把持部と前記第２把持部とを連結する連結部と、前記第１加熱面を加熱する第１加熱部と、前記第２加熱面を加熱する第２加熱部とを備えたヘアアイロンであって、液体を貯留するための液体貯留部と、前記液体貯留部に貯留された液体が供給されるチャンバと、前記供給された液体を蒸発させる温度まで前記チャンバ内を加熱する第３加熱部とを有する液体蒸発部と、前記液体貯留部に貯留された液体を前記チャンバに所定量ずつ送る送液ポンプと、前記第１加熱面又は前記第２加熱面の少なくともいずれかに設けられ、前記チャンバ内で蒸発した蒸気を放出する放出孔とを備えたことを特徴とするヘアアイロン、
（２）送液ポンプは、液体貯留部からチャンバ内に対して所定量の液体を送るように構成されている上記（１）記載のヘアアイロン、
（３）放出孔は複数形成されており、チャンバ内で蒸発した蒸気を複数の前記放出孔に分配する分配部を備えた上記（１）又は（２）記載のヘアアイロンを要旨とする。
【発明の効果】
【００１０】
本発明によれば、第１加熱面を有する第１毛髪挟持部を備えた第１把持部と、第２加熱面を有する第２毛髪挟持部を備えた第２把持部と、第１把持部と第２把持部とを連結する連結部と、第１加熱面を加熱する第１加熱部と、第２加熱面を加熱する第２加熱部とを備え、液体を貯留するための液体貯留部と、液体貯留部に貯留された液体が供給されるチャンバと、供給された液体を蒸発させる温度までチャンバ内を加熱する第３加熱部とを有する液体蒸発部と、液体貯留部に貯留された液体を前記チャンバに所定量ずつ送る送液ポンプと、第１加熱面又は第２加熱面の少なくともいずれかに設けられ、チャンバ内で蒸発した蒸気を放出する放出孔とを備えたので、コンパクトで使用者の使い勝手がよく、かつ使用者の毛髪に対する癖付け等の作業をやりやすくすることが可能になる。また、本発明によれば、使用者の毛髪に対して熱を加える第１加熱部及び第２加熱部とは別に、チャンバ内を加熱するための第３加熱部を備えているので、使用者の毛髪等に対して加える熱を適当なものにしつつ、供給された液体を全て蒸気にして使用者の毛髪に対して放出することができる。したがって、本発明によれば、使用者の毛髪に対する癖付けをより確実にかつ適切に行うことも可能になる。さらに、本発明によれば、送液ポンプが液体を所定量ずつ送るので、蒸気の放出量も所定量ずつ放出され、放出量のバラつきを低減することができる。したがって、本発明によれば、使用者の毛髪に対して所定量ずつの蒸気を放出させることができ、毛髪の全体にわたって潤いを持たせることも可能になる。
【図面の簡単な説明】
【００１１】
【図１】本発明に係るヘアアイロンの外観構成を示す外観図である。
【図２】本実施の形態に係るヘアアイロンの断面図である。
【図３】第１加熱面部及び第２毛髪挟持部の構成を示す部分拡大図である。
【図４】図１のＡ−Ａ線断面図である。
【図５】図１のＢ−Ｂ線断面図である。
【図６】ヘアアイロンの電気的構成を示すブロック図である。
【発明を実施するための形態】
【００１２】
本発明に係るヘアアイロン１の構成を図面を用いて具体的に説明する。なお、本明細書においては、ヘアアイロン本体２に対して給電コード３が接続されている側を基端側といい、その反対側を先端側という。
【００１３】
図１〜５に示すように、ヘアアイロン１は、ヘアアイロン本体２に給電コード３が接続されて構成されている。給電コード３は、従来から公知のものを任意に選択して用いてよい。また、給電コード３は、ヘアアイロン本体２の基端側から接続されている。
【００１４】
ヘアアイロン本体２は、第１把持部４、第２把持部５及び連結部６を備えている。これら第１把持部４及び第２把持部５は、連結部６と接続されている。また、第１把持部４及び第２把持部５は、連結部６を基端にして、これら第１把持部４及び第２把持部５が閉じている閉状態と、第１把持部４及び第２把持部５が開く開状態との間で、略Ｖ字状に拡開や閉塞することが可能となるように連結されている。これら第１把持部４及び第２把持部５は、該第１把持部４及び第２把持部５を相対的に回動させることによって、第１把持部４の先端部である第１先端部７及び第２把持部５の先端部である第２先端部８とを接離することができるように構成されている。なお、第１把持部４及び第２把持部５において連結部６と連結している基端側の所定部分には、第１把持部４及び第２把持部５が互いに拡開する方向に付勢力を付与するスプリング（図示せず）が配設されている。
【００１５】
第１把持部４は、基端側の一端部において連結部６と連結されており、第２把持部５と対向するように配置されている。この第１把持部４は、第１本体ケース１１、第１毛髪挟持部１２、第１加熱部１３、液体貯留部１４、送液部１５、液体蒸発部１６を備えている。
【００１６】
第１本体ケース１１は、第１把持部４の外装体を形成するように形成されている。この第１本体ケース１１は、第１非連結部１７、第１取付部１８及び貯留タンク取付部１９を有している。第１非連結部１７は、第１本体ケース１１の基端側に形成されており、連結部６と連結可能な形状に形成されている。なお、第１非連結部１７は、第２把持部５に対して第１把持部４が閉じている閉状態と、第２把持部５に対して第１把持部４が開く開状態との間で、略Ｖ字状に拡開や閉塞することが可能となるように連結部６に連結することができればよく、その形状は任意に決定してよい。
【００１７】
第１取付部１８は、第１本体ケース１１の先端部に形成されている。この第１取付部１８には、第１毛髪挟持部１２が取付固定されている。また、この第１取付部１８は、第１毛髪挟持部１２を取付固定した時に、該第１毛髪挟持部１２を構成する、後述する第３加熱部３５等が第１本体ケース１１の中に位置することができるような大きさに開口形成されている。なお、この第１取付部１８は、第１毛髪挟持部１２が取付固定される大きさに開口形成されていればよく、その形状等は特に限定されるものではない。
【００１８】
貯留タンク取付部１９は、液体貯留部１４を構成する後述する貯留タンク２５を配置することができるように形成されている。本実施の形態では、貯留タンク２５を嵌め込むことが可能な大きさに形成された凹部として形成されているが、形状や大きさはこれに限定されるものではない。また、貯留タンク取付部１９には、貯留タンク２５に貯留する液体を貯留タンク２５外に送り出すための送出部（図示せず）も形成されている。
【００１９】
第１毛髪挟持部１２は、第２把持部５に備えられている後述する第２毛髪挟持部４２との間に使用者の毛髪を挟んで挟持するためのものである。この第１毛髪挟持部１２は第１加熱面２１、第１〜第８放出孔２２ａ〜２２ｈ及び櫛部２３を有している。第１加熱面２１は、使用時には使用者の毛髪に触れるように形成されている。この第１加熱面２１は、後述する第１加熱部１３によって加熱されるようになっており、その熱を使用者の毛髪に伝えることができるように形成されている。このような第１加熱面２１は、伝熱性を有する金属材料で形成されていることが好ましい。なお、この第１加熱面２１は、図２のＸ方向に向けて直線状に形成されていてもよいし、Ｘ方向に向けて曲線状に形成されていてもよい。なお、本実施の形態では、第１加熱面２１は、後述する第２加熱面４３と対向する位置にのみ形成されているが、これに限定されるものではない。例えば、第１加熱面２１を第２加熱面４３と対向する位置だけではなく、その外周面に亘って全体的に第１加熱面２１を形成してもよい。
【００２０】
図２に示すように、複数形成されている第１〜第８放出孔２２ａ〜２２ｈは、第１加熱面２１に隣接して設けられている。これら第１〜第８放出孔２２ａ〜２２ｈは、長手方向にそれぞれ開口形成されることによって構成されており、後述する液体蒸発部１６において蒸発した蒸気を放出することができるように形成されている。なお、本実施の形態では、これら第１〜第８放出孔２２ａ〜２２ｈとして８つの放出孔が開口形成しているが、この放出孔の形状や個数などはこれに限定されない。
【００２１】
櫛部２３は、第１〜第８放出孔２２ａ〜２２ｈが開口形成されている列と平行に、かつ第１〜第８放出孔２２ａ〜２２ｈと隣接する位置に設けられている。この櫛部２３は多数の櫛歯２４を備えており、使用者が使用する際に、使用者の毛髪をセット等するために用いられる。なお、この櫛部２３の構成は、従来から公知のものを任意に使用してよい。
【００２２】
第１加熱部１３は、第１本体ケース１１の内部であって、第１毛髪挟持部１２の上部と隣接する位置に配置されている。この第１加熱部１３は、後述する電源スイッチ５１がオンになると通電が開始され、加熱するように構成されている。第１加熱部１３は、第１加熱面２１の温度が８０〜２００℃程度まで加熱することができるように構成されている。この第１加熱面２１の温度は第１温度センサ６２（図６参照）によって検知されており、設定された所定の温度になると第１加熱部１３への通電が遮断されるようになっている。なお、第１加熱部１３には、例えば加熱ヒータのように、通電に伴って発熱する従来から公知のものを任意に選択して用いてよい。また、第１加熱部１３は、第１毛髪挟持部１２に所定の熱が伝えることができれば、その構成は限定されない。
【００２３】
液体貯留部１４は、液体蒸発部１６へ移送する液体を貯留しておくためのものである。この液体貯留部１４は、貯留タンク２５及び流出部（図示せず）を有している。貯留タンク２５は、所定量の液体を貯留しておくためのものである。この貯留タンク２５は、第１本体ケース１１に形成されている貯留タンク取付部１９に着脱自在に取付固定することができるように構成されている。また、この貯留タンク２５は、内部に所定の液体を貯留させることができるようになっている。なお、ここで貯留タンク２５に用いる液体としては、例えば水や温水、冷水、毛髪への有効成分が混合された液体等が挙げられるが、常温の水を液体として用いることが好ましい。
【００２４】
流出部は、貯留タンク２５がセットされた時に、該貯留タンク２５内に貯留された液体を貯留タンク２５の外、即ち送液部１５を構成する後述する第１送液管２７に流出させるためのものである。この流出部は、第１送液管２７と連通するように形成されている。また、流出部は、例えば貯留タンク２５が貯留タンク取付部１９から外れている時は閉じられ、貯留タンク２５が貯留タンク取付部１９に取り付けられると開くように構成されている。このように構成することで、貯留タンク２５がセットされておらず流出部が露出している場合に、第１送液管２７に溜まっている液体が逆流したりすることを確実に防止したり、貯留タンク２５が取り付けられた時には液体を確実に流出させることができるようになる。
【００２５】
送液部１５は、貯留タンク２５に貯留されている液体を液体蒸発部１６に向けて送液するためのものである。この送液部１５は、第１送液管２７、送液ポンプ２８及び第２送液管２９を有している。第１送液管２７は、例えば樹脂材料で形成された柔軟性のある管状の部材で形成されている。この第１送液管２７は、一端部が流出部と連通し、他端部が送液ポンプ２８と連通するように接続されている。なお、この第１送液管２７は、従来から公知のものを任意に選択して用いてもよい。
【００２６】
送液ポンプ２８は、液体貯留部１４からチャンバ３１内に対して液体を所定量ずつ送るように構成されている。この送液ポンプ２８は、第１本体ケース１１内に配置されており、入力端が第１送液管２７の他端部と接続され、出力端が第２送液管２９の一端部と接続されている。この送液ポンプ２８は、動作を開始すると、入力端に接続された第１送液管２７内の液体、即ち貯留タンク２５内の液体を入力端から送液ポンプ２８内に流入させる。また、送液ポンプ２８は、入力端から流入させた液体を出力端から吐出させ、第２送液管２９を通じて液体蒸発部１６に向けて送り出す。即ち、送液ポンプ２８は、動作を開始すると、貯留タンク２５内に貯留されている液体を液体蒸発部１６に送液するようになっている。なお、この送液ポンプ２８は、従来から公知のものを任意に選択して用いてよいし、送液ポンプ２８の駆動方式等も従来から公知のものを任意に選択してよい。
【００２７】
第２送液管２９は、例えば樹脂材料で形成された柔軟性のある管状の部材で形成されている。この第２送液管２９は、一端部が送液ポンプ２８の出力端と連通し、他端部が液体蒸発部１６の後述するチャンバ３１に連通するように接続されている。なお、この第２送液管２９は、従来から公知のものを任意に選択して用いてもよい。
【００２８】
液体蒸発部１６は、チャンバ３１、蒸気通路３２、分配部３３及び第１〜第６通過室３４ａ〜３４ｆ及び第３加熱部３５を備えている。チャンバ３１は、内部に蒸発空間３６が形成されている容器状の部材である。このチャンバ３１は、一端部において蒸発空間３６と第２送液管２９とが連通する第１連通部３７を有し、他端部において蒸発空間３６と蒸気通路３２とが連通する第２連通部３８を有している。
【００２９】
また、チャンバ３１は、第１本体ケース１１内において第３加熱部３５と隣接するように配置されており、第３加熱部３５において発生した熱によってチャンバ３１内、即ち蒸発空間３６が所定の温度となるように形成されている。なお、この所定の温度は、蒸発空間３６内に流入する液体が該蒸発空間３６内において蒸発する程度の温度であることが好ましく、具体的には１５０〜２５０℃であることが好ましく、さらには２００〜２５０℃であることがより好ましい。蒸発空間３６内の温度が２００〜２５０℃となっていると、蒸発空間３６に流入してきた液体が瞬時に蒸発して蒸気となるのと共に、流入してきた液体を確実に蒸発させて蒸気にすることができるからである。
【００３０】
蒸気通路３２は、一端部が蒸発空間３６と連通しており、他端部が分配部３３と連通する通路である。この蒸気通路３２は、蒸発空間３６内において蒸発した蒸気を分配部３３まで移送するためのものである。図４に示すように、この蒸気通路３２は、直線状に形成されており、一端部と他端部とが互いに反対側の向きとなるように形成されている。
【００３１】
分配部３３は、蒸気通路３２の他端部と第１〜第６通過室３４ａ〜３４ｆとの間に形成されている。この分配部３３は、チャンバ３１内で蒸発した蒸気を複数の第１〜第８放出孔２２ａ〜２２ｈに分配するためのもので、蒸気通路３２を通って流入した蒸気を第１〜第６通過室３４ａ〜３４ｆに向けて分配するためのものである。図４に示すように、分配部３３は、第１〜第６通過室３４ａ〜３４ｆに向けて分岐、即ち枝分かれするように形成されている。なお、分配部３３は、蒸気通路３２を通ってきた蒸気を第１〜第６通過室３４ａ〜３４ｆに向けて分配することができればよく、その形状は上記したものに限定されない。
【００３２】
第１〜第６通過室３４ａ〜３４ｆは、それぞれが第１〜第６通過孔３９ａ〜３９ｆと連通するように形成されており、分配部３３を経て移送された蒸気がそれぞれ第１〜第６通過孔３９ａ〜３９ｆに向けて通過させることができるように形成されている。これら第１〜第６通過孔３９ａ〜３９ｆは、移送された蒸気を所定量通過させることができればよい。また、これら第１〜第６通過孔３９ａ〜３９ｆの大きさや形状は、同じであっても異なっていてもよい。
【００３３】
なお、図１〜図５には図示していないが、第１〜第６通過孔３９ａ〜３９ｆの出口側、即ち、第１〜第６通過室３４ａ〜３４ｆと連通している側とは反対側には、所定の大きさの空間が形成されている。この空間は、第１〜第６通過孔３９ａ〜３９ｆを通過した蒸気が流入する空間である。即ち、分配部３３において第１〜第６通過室３４ａ〜３４ｆに分配された蒸気は、第１〜第６通過孔３９ａ〜３９ｆを通過した後に一つの空間にまとめられるようになっている。
【００３４】
また、この図示しない空間には、第１〜第８放出孔２２ａ〜２２ｈが開口形成されている。即ち、図２に示す第１〜第８放出孔２２ａ〜２２ｈは、図示しない空間と連通するように形成されている。図４に示す符号Ｂは、第２送液管２９から蒸発空間３６に流入した液体が蒸発して蒸気になった後の移送経路を示している。即ち、蒸発空間３６において生成された蒸気は、蒸発空間３６から蒸気通路３２を経て分配部３３に移送される。そして、分配部３３において分配された蒸気は、第１〜第６通過孔３９ａ〜３９ｆを通過し、その後さらに図示しない空間にまとめられ、さらにその後は第１〜第８放出孔２２ａ〜２２ｈから放出されることになる。このような経路を経て蒸気を放出することによって、第１〜第８放出孔２２ａ〜２２ｈから放出される蒸気の速度を低減することができ、また放出される蒸気の温度も使用者にとって心地よい温度に低減させることもできる。
【００３５】
第３加熱部３５は、第１本体ケース１１内においてチャンバ３１と隣接する位置に配置されている。この第３加熱部３５は、チャンバ３１における蒸発空間３６内の温度を所定温度まで加熱させるためのものである。第３加熱部３５は、後述する電源スイッチ５１がオンになると通電が開始されて加熱するように構成されており、蒸発空間３６内の温度を１５０〜２５０℃まで加熱させることができるように構成されている。この蒸発空間３６内の温度は第３温度センサ６４（図６参照）によって検知されており、設定された所定の温度になると第３加熱部３５への通電が遮断されるようになっている。なお、第３加熱部３５は、例えば加熱ヒータのように、通電に伴って発熱する従来から公知のものを任意に選択して用いてよい。また、第３加熱部３５は、チャンバ３１に所定の熱を伝え、蒸発空間３６内の温度を上記した温度にまで上昇させることができれば、その構成は限定されない。
【００３６】
第２把持部５は、基端側の一端部において連結部６と連結されており、第１把持部４と対向するように配置されている。この第２把持部５は、第２本体ケース４１、第２毛髪挟持部４２、第２加熱部４３及び操作部４４を備えている。
【００３７】
第２本体ケース４１は、第２把持部５の外装体を形成するように構成されている。この第２本体ケース４１は、第２非連結部４５、第２取付部４６を有している。第２非連結部４５は、第２本体ケース４１の基端側に形成されており、連結部６と連結可能な形状に形成されている。なお、第２非連結部４５は、第１把持部４に対して第２把持部５が閉じている閉状態と、第１把持部４に対して第２把持部５が開く開状態との間で、略Ｖ字状に拡開や閉塞することが可能となるように連結部６に連結することができればよく、その形状は任意に決定してよい。
【００３８】
第２毛髪挟持部４２は、第１把持部４に備えられている第１毛髪挟持部１２との間に使用者の毛髪を挟んで挟持するためのものである。この第２毛髪挟持部４２は、第２加熱面４７及び櫛受部４８を有している。第２加熱面４７は、使用時には使用者の毛髪に触れるように形成されている。この第２加熱面４７は、後述する第２加熱部４３によって加熱されるようになっており、その熱を使用者の毛髪に伝えることができるように形成されている。このような第２加熱面４７は、伝熱性を有する金属材料で形成されていることが好ましい。なお、この第２加熱面４７は、図２のＸ方向に向けて直線状に形成されていてもよいし、Ｘ方向に向けて曲線状に形成されていてもよい。なお、本実施の形態では、第２加熱面４７は、第１加熱面２１と対向する位置にのみ形成されているが、これに限定されるものではない。例えば、第２加熱面４３を第１加熱面２１と対向する位置だけではなく、その外周面に亘って全体的に第２加熱面４７を形成してもよい。
【００３９】
櫛受部４８は、第１把持部４に形成されている櫛部２３と対向する位置に設けられている。この櫛受部４８は、第１把持部４及び第２把持部５を閉じた時に櫛部２３が第２把持部５と干渉しないようにするためのものである。なお、櫛受部４８は、櫛部２３と第２把持部５とが干渉しないようにできればよく、図２に示すように櫛を受け入れる凹部として形成することに限定されるものではない。
【００４０】
第２加熱部４３は、第２本体ケース４１の内部であって、第２毛髪挟持部４２の下部と隣接する位置に配置されている。この第２加熱部４３は、後述する電源スイッチ５１がオンになると通電が開始されて加熱するように構成されている。第２加熱部４３は、第２加熱面４７の温度が８０〜２００℃程度まで加熱することができるように構成されている。この第２加熱面４７の温度は第２温度センサ６３（図６参照）によって検知されており、設定された所定の温度になると第２加熱部４３への通電が遮断されるようになっている。なお、第２加熱部４３には、例えば加熱ヒータのように、通電に伴って発熱する従来から公知のものを任意に選択して用いてよい。また、第２加熱部４３は、第２毛髪挟持部４２に所定の熱を伝えることができれば、その構成は限定されない。
【００４１】
操作部４４は、第２本体ケース４１の側面部に設けられている。この操作部４４は、電源スイッチ５１、第１温度調節スイッチ５２、第２温度調節スイッチ５３、開閉スイッチ５４、蒸発部用スイッチ５５及び温度表示部５６を備えている。電源スイッチ５１は、ヘアアイロン１のオン又はオフを切り替えるためのスイッチである。電源スイッチ５１をオンにすると第１加熱部１３、第２加熱部４３及び第３加熱部３５等に給電が開始される。この電源スイッチ５１は、従来から公知のものを任意に選択して用いてよい。
【００４２】
第１温度調節スイッチ５２は、第１加熱部１３及び第２加熱部４３の設定温度を調節するためのものである。この第１温度調節スイッチ５２は、第１加熱部１３及び第２加熱部４３の設定温度を下げる際に操作されるスイッチであり、この第１温度調節スイッチ５２が操作されると、例えば５℃刻みで設定温度が下がるように構成されている。
【００４３】
第２温度調節スイッチ５３は、第１加熱部１３及び第２加熱部４３の設定温度を調節するためのものである。この第２温度調節スイッチ５３は、第１加熱部１３及び第２加熱部４３の設定温度を上げる際に操作されるスイッチであり、この第２温度調節スイッチ５３が操作されると、例えば５℃刻みで設定温度が上がるように構成されている。
【００４４】
なお、これら第１温度調節スイッチ５２及び第２温度調節スイッチ５３には、従来から公知のものを任意に選択して用いてよい。また、これら第１温度調節スイッチ５２及び第２温度調節スイッチ５３による設定温度は、５℃刻みに変更することができるものには限定されず、５℃以外の温度、例えば３℃刻みだったり、７℃刻みに変更できるようにしてもよいし、これら以外の温度であってもよい。
【００４５】
開閉スイッチ５４は、第２把持部５に設けられており、第２把持部５が第１把持部４と対向する面から、第１把持部４に向けて配置されている。本実施の形態では、この開閉スイッチ５４には磁気スイッチが用いられている。即ち、開閉スイッチ５４は、第１把持部４及び第２把持部５が開状態の時には開閉スイッチ５４において磁力が検知されないためにオフとなり、第１把持部４及び第２把持部５が閉状態の時には第１把持部４が近接することによって磁力が検知されてオンになるように構成されている。この開閉スイッチ５４は、オン又はオフの動作によって、送液ポンプ２８を駆動したり停止したりするためのものである。即ち、開閉スイッチ５４がオンになると送液ポンプ２８は駆動を開始し、開閉スイッチ５４がオフになると送液ポンプ２８は駆動を停止するように構成されている。
【００４６】
なお、本実施の形態では、開閉スイッチ５４に磁気スイッチを用いているが、第１把持部４及び第２把持部５が閉状態又は開状態のどちらの状態にあるかによってオン又はオフを切り替えることができるものであればよい。例えば、この開閉スイッチ５４には、機械的に作動する機械スイッチを用いてもよいし、センサ部材を取り付けてもよい。また、これら以外のものを用いて開状態又は閉状態のいずれであるかを検知し、オン又はオフを切り替えることができるものであればよい。
【００４７】
蒸発部用スイッチ５５は、送液ポンプ２８の駆動をオフ又はオンするためのスイッチである。この蒸発部用スイッチ５５は、開閉スイッチ５４がオンになっている時に、該送液ポンプ２８の駆動をオフ又はオンすることができるように構成されている。即ち、送液ポンプ２８が駆動している時に蒸発部用スイッチ５５を操作をすると送液ポンプ２８の駆動が停止され、さらに送液ポンプ２８が停止している時に蒸発部用スイッチ５５をさらに操作すると送液ポンプ２８が駆動するようになっている。なお、この蒸発部用スイッチ５５は、開閉スイッチ５４がオフになっている時は、送液ポンプ２８を駆動させることができないようになっている。この蒸発部用スイッチ５５は、従来から公知のものを任意に選択して用いてよい。
【００４８】
温度表示部５６は、第１温度調節スイッチ５２及び第２温度調節スイッチ５３で調節を行った第１加熱部１３及び第２加熱部４３の設定温度を表示するためのものである。例えば、第１温度調節スイッチ５２及び第２温度調節スイッチ５３を操作して「８０℃」に設定した場合には、温度表示部５６には「８０」と表示されるようになっている。なお、この温度表示部５６には、従来から公知のもの、例えば７セグメント液晶表示器や７セグメントＬＥＤなどを任意に選択して用いてもよい。
【００４９】
次に、本実施の形態に係るヘアアイロン１の電気的な構成を説明する。
図６に示すように、ヘアアイロン１は、制御部６１を有しており、この制御部６１でヘアアイロン１の総括的な制御を行っている。制御部６１の入力端側には、電源スイッチ５１、第１温度調節スイッチ５２、第２温度調節スイッチ５３、開閉スイッチ５４、蒸発部用スイッチ５５、第１温度センサ６２、第２温度センサ６３及び第３温度センサ６４が電気的に接続されている。また、制御部６１の出力端側には、報知部６５、温度表示部５６、送液ポンプ２８、第１加熱部１３、第２加熱部４３及び第３加熱部３５が電気的に接続されている。また、制御部６１をはじめとするヘアアイロン１の駆動は、図示しない外部電源からの電力の供給を受けることで行われる。
【００５０】
電源スイッチ５１は、ヘアアイロン１をオン又はオフするためのスイッチである。電源スイッチ５１をオンにすると外部電源からの給電が開始される。
【００５１】
第１温度調節スイッチ５２は、第１加熱部１３及び第２加熱部４３の設定温度を下げる際に操作するためのスイッチである。第１温度調節スイッチ５２は、使用者が該第１温度調節スイッチ５２を操作すると、制御部６１に対して第１温度調節スイッチ５２が操作された旨の信号を出力する。
【００５２】
第２温度調節スイッチ５３は、第１加熱部１３及び第２加熱部４３の設定温度を上げる際に操作するためのスイッチである。第２温度調節スイッチ５３は、使用者が該第２温度調節スイッチ５３を操作すると、制御部６１に対して第２温度調節スイッチ５３が操作された旨の信号を出力する。
【００５３】
開閉スイッチ５４は、送液ポンプ２８への通電をオンまたはオフするためのスイッチである。この開閉スイッチ５４は、オンになると、制御部６１に対して開閉スイッチ５４がオンになった旨の信号を出力する。また、開閉スイッチ５４は、オフになると、制御部６１に対して開閉スイッチ５４がオフになった旨の信号を出力する。
【００５４】
蒸発部用スイッチ５５は、制御部６１が送液ポンプ２８に対して制御している送液ポンプ２８への通電を遮断するためのスイッチである。この蒸発部用スイッチ５５は、開閉スイッチ５４がオンになった後に操作されると、制御部６１に対して蒸発部用スイッチ５５が操作された旨の信号を出力する。また、蒸発部用スイッチ５５は、その後さらに操作されると、制御部６１に対して蒸発部用スイッチ５５が再度操作された旨の信号を出力する。
【００５５】
第１温度センサ６２は、第１加熱面２１の温度を検知して出力するためのものである。この第１温度センサ６２は、第１加熱面２１の温度を常時検知し、検知した結果を第１検知信号として制御部６１に出力する。
【００５６】
第２温度センサ６３は、第２加熱面４７の温度を検知して出力するためのものである。この第２温度センサ６３は、第２加熱面４７の温度を常時検知し、検知した結果を第２検知信号として制御部６１に出力する。
【００５７】
第３温度センサ６４は、蒸発空間３６内の温度を検知して出力するためのものである。この第３温度センサ６４は、蒸発空間３６内の温度を常時検知し、検知した結果を第３検知信号として制御部６１に出力する。
【００５８】
報知部６５は、例えば使用者が所定の操作を行った場合や、第１加熱部１３及び第２加熱部４３が所定温度まで加熱されてヘアアイロン１を使用できるようになった時に、使用者に知らせるためのものである。この報知部６５は、制御部６１から第１報知信号の出力を受け取ると、例えば「ピッ」というような電子音を出力して、使用者に対して、ヘアアイロン１の電源がオンになったことを知らせる。また、報知部６５は、制御部６１から第２報知信号の出力を受け取ると、例えば「ピピッ」というような電子音を出力して、使用者に対して、ヘアアイロン１が使用できる状態になったことを知らせる。
【００５９】
温度表示部５６は、例えば７セグメント液晶表示器や７セグメントＬＥＤなどが使用されている。この温度表示部５６は、制御部６１から温度表示信号の出力を受けると、その温度表示信号の内容に基づいた数値、即ち第１温度調節スイッチ５２及び第２温度調節スイッチ５３の操作によって設定された、設定温度を表示する。
【００６０】
送液ポンプ２８は、貯留タンク２５内の液体を蒸発空間３６に移送するためのものである。送液ポンプ２８は、制御部６１から駆動信号を受けると駆動を開始して、貯留タンク２５内の液体の蒸発空間３６への移送を開始する。また、送液ポンプは２８は、制御部６１から停止信号を受けると駆動を停止して、貯留タンク２５内の液体の蒸発空間３６への移送を停止する。
【００６１】
第１加熱部１３は、第１加熱面２１を加熱するためのものである。この第１加熱部１３は、制御部６１から、該第１加熱部１３をオンにする旨の信号を受け取ると、電力の供給を受けて加熱を開始する。また、第１加熱部１３は、制御部６１から、該第１加熱部１３をオフにする旨の信号を受け取ると、電力の供給を停止して加熱を停止する。
【００６２】
第２加熱部４３は、第２加熱面４７を加熱するためのものである。この第２加熱部４３は、制御部６１から、該第２加熱部４３をオンにする旨の信号を受け取ると、電力の供給を受けて加熱を開始する。また、第２加熱部４３は、制御部６１から、該第２加熱部４３をオフにする旨の信号を受け取ると、電力の供給を停止して加熱を停止する。
【００６３】
第３加熱部３５は、蒸発空間３６内を加熱するためのものである。この第３加熱部３５は、制御部６１から、該第３加熱部３５をオンにする旨の信号を受け取ると、電力の供給を受けて加熱を開始する。また、第３加熱部３５は、制御部６１から、該第３加熱部３５をオフにする旨の信号を受け取ると、電力の供給を停止して加熱を停止する。
【００６４】
次に、本実施の形態に係るヘアアイロン１の作用効果について説明する。なお、この作用効果の説明では、一つの例として、第１加熱部１３により加熱される第１加熱面２１の温度及び第２加熱部４３により加熱される第２加熱面４７の温度が８０℃に設定されており、（即ち、設定温度が８０℃）、第３加熱部３５により加熱される蒸発空間３６内の温度が２００℃に設定されている場合について説明するが、この設定温度はこれらに限定されるものではない。
【００６５】
まず、使用者が電源スイッチ５１をオンにすると、制御部６１は、報知部６５に対して第１報知信号を出力する。制御部６１から第１報知信号の出力を受け取った報知部６５は、「ピッ」という起動時の電子音を鳴らして、使用者に対してヘアアイロン１の電源がオンになったことを知らせる。
【００６６】
また、制御部６１は、電源スイッチ５１がオンになると、第１加熱部１３に対して、該第１加熱部１３をオンにする旨の信号を出力する。この信号の出力を受け取った第１加熱部１３は、電力の供給を受けて加熱を開始する。また、制御部６１は、電源スイッチ５１がオンになると、第２加熱部４３に対して、該第２加熱部４３をオンにする旨の信号を出力する。この信号の出力を受け取った第２加熱部４３は、電力の供給を受けて加熱を開始する。さらに、制御部６１は、電源スイッチ５１がオンになると、第３加熱部３５に対しても、該第３加熱部３５をオンにする旨の信号を出力する。この信号の出力を受け取った第３加熱部３５は、電力の供給を受けて加熱を開始する。即ち、制御部６１は、電源スイッチ５１がオンになると、第１加熱部１３、第２加熱部４３及び第３加熱部３５における発熱を開始するように制御を行う。
【００６７】
第１加熱部１３が加熱すると、第１加熱面２１の温度が上昇する。この第１加熱面２１の温度は、第１温度センサ６２によって常時検知されている。また、第１温度センサ６２は、検知した結果を第１検知信号として、制御部６１に対して常時出力している。
【００６８】
制御部６１は、第１温度センサ６２から出力される第１検知信号を常時受け取っており、この第１検知信号によって第１加熱面２１の温度が８０℃になったか否かを判定している。ここで、制御部６１は、第１加熱面２１の温度が８０℃に到達したと判定した場合には、第１加熱部１３をオフにする旨の信号を第１加熱部１３に対して出力する。そして、制御部６１は、第１検知信号によって第１加熱面２１の温度が８０℃よりも低くなったと判定した場合には、再び第１加熱部１３をオンにする旨の信号を第１加熱部１３に対して出力する。このように、制御部６１は、第１検知信号によって第１加熱面２１の温度が８０℃に到達したか否かを常時判定して、第１加熱面２１の温度が８０℃を維持するように制御している。
【００６９】
第２加熱部４３が加熱すると、第２加熱面４７の温度が上昇する。この第２加熱面４７の温度は、第２温度センサ６３によって常時検知されている。また、第２温度センサ６３は、検知した結果を第２検知信号として、制御部６１に対して常時出力している。
【００７０】
制御部６１は、第２温度センサ６３から出力される第２検知信号を常時受け取っており、この第２検知信号によって第２加熱面４７の温度が８０℃になったか否かを判定している。ここで、制御部６１は、第２加熱面４７の温度が８０℃に到達したと判定した場合には、第２加熱部４３をオフにする旨の信号を第２加熱部４３に対して出力する。そして、制御部６１は、第２検知信号によって第２加熱面４７の温度が８０℃よりも低くなったと判定した場合には、再び第２加熱部４３をオンにする旨の信号を第２加熱部４３に対して出力する。このように、制御部６１は、第２検知信号によって第２加熱面４７の温度が８０℃に到達したか否かを常時判定して、第２加熱面４７の温度が８０℃を維持するように制御している。
【００７１】
制御部６１は、第１検知信号及び第２検知信号から、第１加熱面２１及び第２加熱面４７の温度が８０℃となったと判定すると、報知部６５に対して第２報知信号を出力する。制御部６１から第２報知信号の出力を受け取った報知部６５は「ピピッ」という電子音を鳴らして、使用者に対してヘアアイロン１が使用可能な状態になったことを知らせる。
【００７２】
第３加熱部３５が加熱すると、蒸発空間３６内の温度が上昇する。この蒸発空間３６内の温度は、第３温度センサ６４によって常時検知されている。また、第３温度センサ６４は、検知した結果を第３検知信号として、制御部６１に対して常時出力している。
【００７３】
制御部６１は、第３温度センサ６４から出力される第３検知信号を常時受け取っており、この第３検知信号によって蒸発空間３６内の温度が２００℃に到達したと判定した場合には、第３加熱部３５をオフにする旨の信号を第３加熱部３５に対して出力する。そして、制御部６１は、第３検知信号によって蒸発空間３６内の温度が２００℃よりも低くなったと判定した場合には、再び第３加熱部３５をオンにする旨の信号を第３加熱部３５に対して出力する。このように、制御部６１は、第３検知信号によって蒸発空間３６内の温度が２００℃を維持するように制御している。
【００７４】
なお、使用者が第１温度調節スイッチ５２を操作して制御部６１に対して該第１温度調節スイッチ５２が操作された旨の信号を出力した場合、又は使用者が第２温度調節スイッチ５３を操作して制御部６１に対して該第２温度調節スイッチ５３が操作された旨の信号を出力した場合には、制御部６１は、これらの信号を受け取って、当初８０℃と設定されていた設定温度を使用者が新たに設定した温度に更新する。そして、制御部６１は、その更新された設定温度を維持するように、第１加熱部１３及び第２加熱部４３を制御する。なお、ここでの制御部６１による第１加熱部１３及び第２加熱部４３の制御の内容は、設定温度が相違するのみでそれ以外は上記したと同じであるので、ここでの説明は省略する。
【００７５】
次に、使用者がヘアアイロン１を手に取って毛髪の癖付け等に使用する場合には、第１加熱面２１及び第２加熱面４７の間に毛髪を挟み込んで行う。この時、使用者は、第１把持部４及び第２把持部５を開いた開状態から、これら第１把持部４及び第２把持部５を閉じた閉状態にする。これら第１把持部４及び第２把持部５が閉状態になると、開閉スイッチ５４がオフからオンに切り替わる。そして、開閉スイッチ５４は、オンになると、制御部６１に対して、該開閉スイッチ５４がオンになった旨の信号を出力する。
【００７６】
制御部６１は、開閉スイッチ５４がオンになった旨の信号の出力を受け取ると、送液ポンプ２８に対して駆動信号を出力する。駆動信号の出力を受け取った送液ポンプ２８は、駆動を開始して、貯留タンク２５内の液体の蒸発空間３６への移送を開始する。この時の送液ポンプ２８は、所定量の液体を送るように構成されているから、順次、所定量の液体を貯留タンク２５から蒸発空間３６に向けて移送する。
【００７７】
送液ポンプ２８の駆動によって移送される液体は、貯留タンク２５から第１送液管２７、送液ポンプ２８、第２送液管２９を通って、チャンバ３１内の蒸発空間３６に到達する。この時、蒸発空間３６は、温度が２００℃に維持されているので、液体は、蒸発空間３６内に到達すると瞬時に蒸発して蒸気となる。送液ポンプ２８は、所定量の液体を移送するので、移送された液体は、順次蒸発空間３６内に到達すると瞬時に蒸発して蒸気となる。
【００７８】
この蒸気は、蒸発空間３６内を移送されて、蒸気通路３２を通過し、さらに分配部３３で第１〜第６通過室３４ａ〜３４ｆに分配される。そして、第１〜第６通過室３４ａ〜３４ｆにそれぞれ設けられている第１〜第６通過孔３９ａ〜３９ｆを通って、その更に下部にある図示しない空間内に流入する。このように、蒸気を分配部３３において分配し、第１〜第６通過室３４ａ〜３４ｆを通って第１〜第６通過孔３９ａ〜３９ｆを通過して図示しない空間に流入させることで、この図示しない空間内に均等に蒸気が分散した状態で分布するようにすることができる。このように図示しない空間に流入した蒸気は、その後さらに第１〜第８放出孔２２ａ〜２２ｈからヘアアイロン１外に放出される。
【００７９】
ヘアアイロン１外に放出された蒸気は、第１毛髪挟持部１２及び第２毛髪挟持部４２で挟んだ使用者の毛髪に到達する。使用者の毛髪は、第１加熱部１３によって加熱された第１加熱面２１及び第２加熱部３２によって加熱された第２加熱面４７からの熱を受けるほかに、放出された蒸気も供給されるので、より毛髪の癖付け等をしやすくすることができる。
【００８０】
ここで、使用者が、第１毛髪挟持部１２及び第２毛髪挟持部４２で毛髪を挟んだまま、第１〜第８放出孔２２ａ〜２２ｈからの蒸気の放出を止める場合には、蒸発部用スイッチ５５を操作する。この蒸発部用スイッチ５５は、使用者によって操作されると、蒸発部用スイッチ５５が操作された旨の信号を制御部６１に対して出力する。制御部６１は、この蒸発部用スイッチ５５が操作された旨の信号の出力を受け取ると、送液ポンプ２８に対して停止信号を出力する。
【００８１】
送液ポンプ２８は、制御部６１から停止信号の出力を受け取ると、駆動を停止して、貯留タンク２５内の液体の蒸発空間３６内への移送を停止する。この液体の移送が停止されると、蒸発空間３６内に液体が供給されなくなるので、蒸発空間３６内での液体の蒸発及び第１〜第８放出孔２２ａ〜２２ｈからの蒸気の放出が止まる。
【００８２】
また、使用者が蒸発部用スイッチ５５を操作して第１〜第８放出孔２２ａ〜２２ｈからの蒸気の放出を止めた後に、第１毛髪挟持部１２及び第２毛髪挟持部４２で毛髪を挟んだまま第１〜第８放出孔２２ａ〜２２ｈからの蒸気の放出を再度開始する場合には、使用者は蒸発部用スイッチ５５を再度操作する。この蒸発部用スイッチ５５は、使用者によって再度操作されると、蒸発部用スイッチ５５が再度操作された旨の信号を制御部６１に出力する。制御部６１は、この蒸発部用スイッチ５５が再度操作された旨の信号の出力を受け取ると、送液ポンプ２８に対して駆動信号を出力する。
【００８３】
送液ポンプ２８は、制御部６１から駆動信号の出力を受け取ると、駆動を開始して、貯留タンク２５内の液体の蒸発空間３６内への移送を再度開始する。この液体の移送が開始されると、蒸発空間３６内に液体が再度供給され、蒸発空間３６内での液体の蒸発及び第１〜第８放出孔２２ａ〜２２ｈからの蒸気の放出が再度開始される。
【００８４】
このように、ヘアアイロン１は、蒸気を用いて第１加熱面２１及び第２加熱面４７の熱によって使用者の毛髪の癖付け等を行うことができるだけではなく、蒸気を用いずに、第１加熱面２１及び第２加熱面４７の熱によって使用者の毛髪の癖付け等を行うようにすることもできる。なお、制御部６１は、開閉スイッチ５４がオフの時に蒸発部用スイッチ５５から、該蒸発部用スイッチ５５が操作された旨の信号及び蒸発部用スイッチ５５が再度操作された旨の信号の出力を受け取った場合には、送液ポンプ２８に対して停止信号及び駆動信号を出力することはない。即ち、制御部６１は、蒸発部用スイッチ５５が操作された旨の信号及び蒸発部用スイッチ５５が再度操作された旨の信号の出力を受け取ることにより、送液ポンプ２８へ停止信号及び駆動信号を出力するのは、開閉スイッチ５４がオンになっている旨の信号の出力を受け取っていることが前提条件としている。そのため、制御部６１は、開閉スイッチ５４がオンになっている旨の信号の出力を受け取っていない場合、即ち開閉スイッチ５４がオフの場合には、蒸発部用スイッチ５５が操作された旨の信号及び蒸発部用スイッチ５５が再度操作された旨の信号の出力を受け取っても、開閉スイッチ５４がオンになっている旨の信号の出力を受け取っていないため、送液ポンプ２８に対して停止信号及び駆動信号を出力することはない。
【００８５】
また、使用者が毛髪の癖付け等を終えて第１把持部４及び第２把持部５を閉状態から開状態にすると、開閉スイッチ５４がオフになる。開閉スイッチ５４がオフになると、該開閉スイッチ５４がオフになった旨の信号が制御部６１に出力される。この信号を受け取った制御部６１は、送液ポンプ２８に対して停止信号を出力する。この停止信号の出力を受け取った送液ポンプ２８は、駆動を停止して、貯留タンク２５内の液体の蒸発空間３６内への移送を停止する。この液体の移送が停止されると、蒸発空間３６内に液体が供給されなくなるので、蒸発空間３６内での液体の蒸発及び蒸気の放出が止まる。
【００８６】
本発明に係るヘアアイロン１によれば、この第１〜第８放出孔２２ａ〜２２ｈから放出される蒸気の元となる液体を蒸発させるのは、第１加熱面２１及び第２加熱面４７を加熱する第１加熱部１３及び第２加熱部４３とは別個の第３加熱部３５である。第１加熱面２１及び第２加熱面４７は、使用者の頭皮や毛髪に直接触れるものであるため、あまり高温にしすぎると頭皮や毛髪を痛めてしまって妥当ではなく、その一方で液体を蒸発させる温度として、８０℃程度の温度にすると、液体は加熱される一方、沸点との関係で蒸発することはできないので、第１〜第８放出孔２２ａ〜２２ｈから、蒸気ではなく液体が放出され、使用者がやけどを負う問題がある。
【００８７】
そのため、本発明に係るヘアアイロン１のように、第１加熱部１３、第２加熱部４３に加えて、蒸発空間３６の温度を上昇させるための第３加熱部３５を設けることにより、使用者の頭皮や毛髪を痛めることなく、かつ第１〜第８放出孔２２ａ〜２２ｈから放出される各種の液体も、確実に蒸気にすることができる。したがって、使用者にとっては、使い勝手がよく、さらにやけどのおそれもない、安全かつ快適な使用をすることのできるヘアアイロン１を提供することができる。
【００８８】
このように、本発明に係るヘアアイロン１によれば、使用者にとっても安全であるのは言うまでもなく、さらに使用者が毛髪をセットする時のセットのしやすさ、及び蒸気にした液体を毛髪等に噴くことによって、使用者の毛髪をより健康にすることが可能になる。
【００８９】
次に、本発明に係るヘアアイロンの変形例について説明する。この変形例は、蒸発部用スイッチの構成及び動作が先に説明した例とは相違する。なお、この変形例においては、蒸発部用スイッチの構成及び動作を説明し、先に説明した例と同一の構成及び動作については、説明を省略する。
【００９０】
まずは、蒸発部用スイッチの電気的な構成について説明する。蒸発部用スイッチは、制御部が送液ポンプに対して制御している送液ポンプへの通電をオンまたはオフするためのスイッチである。この蒸発部用スイッチは、オンになると制御部に対して蒸発部用スイッチがオンになった旨の信号を出力する。また、蒸発部用スイッチは、オフになると制御部に対して蒸発部用スイッチがオフになった旨の信号を出力する。
【００９１】
次に、この変形例の動作について説明する。なお、この変形例では、先に説明したヘアアイロンの動作は同じであるから、ここでの説明は省略する。
【００９２】
この変形例においては、蒸発部用スイッチのオン又はオフをすることができる点で、動作が相違する。即ち、このヘアアイロンは、使用者が蒸発部用スイッチをオンにすると、制御部に対して蒸発部用スイッチがオンになった旨の信号を出力する。制御部は、蒸発部用スイッチがオンになった旨の信号を受け取ると、送液ポンプに対して駆動信号を出力する。駆動信号の出力を受け取った送液ポンプは、駆動を開始して、貯留タンク内の液体の蒸発空間への移送を開始する。この時の送液ポンプは順次、所定量の液体を移送する。
【００９３】
また、使用者が蒸発部用スイッチをオフにすると、制御部に対して蒸発部用スイッチがオフになった旨の信号を出力する。制御部は、蒸発部用スイッチがオフになった旨の信号を受け取ると、送液ポンプに対して停止信号を出力する。停止信号の出力を受け取った送液ポンプは、駆動を停止して、貯留タンク内の液体の蒸発空間への移送を停止する。
【００９４】
この蒸発部用スイッチのオン又はオフによる送液ポンプの駆動及び停止は、第１把持部及び第２把持部が閉状態になっているか、又は開状態になっているかのいずれであってもよい。即ち、先に説明した例では、蒸発部用スイッチは、第１把持部及び第２把持部が閉状態で、開閉スイッチがオンになっている時に、送液ポンプの駆動を停止するように構成されているのに対し、この変形例では、送液ポンプは、開閉スイッチのオン又はオフによって駆動を開始又は停止するだけでなく、蒸発部用スイッチのオン又はオフによっても駆動を開始又は停止する。つまり、この変形例では、送液ポンプをオン又はオフにするためのスイッチとして、開閉スイッチ及び蒸発部用スイッチの二つが設けられている。
【００９５】
このように、蒸発部用スイッチのオン又はオフによって送液ポンプの駆動又は停止することができるように構成することで、第１把持部及び第２把持部が開状態になっている時にも、蒸気を発生させることができる。したがって、この変形例によれば、第１加熱面及び第２加熱面で毛髪を挟む前に、毛髪に対して蒸気を放出することができ、これにより、毛髪に対してより多くの水分を与えて、毛髪が潤う状態にしつつ、毛髪を傷めることなく癖付け等を行うことが可能になる。なお、この変形例においても、先に説明した例のヘアアイロンが奏する効果を奏するのは言うまでもない。
【００９６】
以上、本発明に係るヘアアイロンについて詳細に説明したが、上記したのは本発明の一つの例であり、これに限定されるものではない。例えば、貯留タンクに貯留されている液体の量や、第１送液管を移送される液体を検知することで、貯留タンクに貯留されている液体の量や該液体の有無を検知手段により検出して、検知手段から出力される信号を受けて制御部がヘアアイロンの各種制御を行うように構成してもよい。また、マイナスイオンを発生するためのマイナスイオン発生部を設けており、第１〜第８放出孔や別の箇所から放出させることができるように構成してもよい。また、本発明に係るヘアアイロンは、本発明の趣旨を逸脱しない範囲において、上記した以外にも適宜改良等をしてよい。
【符号の説明】
【００９７】
１  ヘアアイロン
２  ヘアアイロン本体
４  第１把持部
５  第２把持部
６  連結部
１２  第１毛髪挟持部
１３  第１加熱部
１４  液体貯留部
１５  送液部
１６  液体蒸発部
２１  第１加熱面
２２ａ〜２２ｈ  第１〜第８放出孔
２８  送液ポンプ
３１  チャンバ
３３  分配部
３５  第３加熱部
３６  蒸発空間
４２  第２毛髪挟持部
４３  第２加熱部
４７  第２加熱面
【図１】
2017077432.tif 000003
【図２】
2017077432.tif 000004
【図３】
2017077432.tif 000005
【図４】
2017077432.tif 000006
【図５】
2017077432.tif 000007
【図６】
2017077432.tif 000008